(57)【要約】【課題】光源部を包囲して形成される器具本体内の温度上昇を低減できる照明器具を提供することである。【解決手段】光源部１５ａ、１５ｂを保持する熱伝導性の固定板と、アルミダイカストで形成された器具本体１４とを有し、器具本体１４は、光源部１５ａ、１５ｂからの光を出射する開口部１９を有するとともに、固定板１８を支持する支持部２１を有し、光源部１５ａ、１５ｂ及び固定板１８を包囲して収納する。これにより、光源部１５ａ、１５ｂで発生した熱は固定板１８に伝熱し、固定板１８が取り付けられた器具本体１４の支持部２１に伝熱し、さらに、支持部２１から器具本体１４の外表面に伝熱して器具本体１４の外表面から放熱する。【選択図】  図１
2008140643.tif 000002
【特許請求の範囲】
【請求項１】
光源部を保持する熱伝導性の固定板と；
外面部、この外面部に連接してなる支持部及び前記光源部からの光を出射する開口部を有してなり、前記支持部は前記固定板を支持し、外面部は前記光源部及び固定板を包囲するように構成されたアルミダイカスト製の器具本体と；
を備えたことを特徴とする照明器具。
【請求項２】
前記器具本体の少なくとも支持部の板厚は、前記固定板の板厚よりも大きいことを特徴とする請求項１記載の照明器具。
【発明の詳細な説明】
【技術分野】
【０００１】
本発明は、器具本体に収納された光源部からの光を器具本体の開口部から出射して照明する照明器具に関する。
【背景技術】
【０００２】
光源部を器具本体に収納し、光源部からの光を器具本体の開口部から出射するようにした照明器具としては、例えば、屋外に設置された表札を表示する表札灯がある。
【０００３】
表札灯として、ポール式郵便受の表札を照明するようにしたものがある（例えば、特許文献１参照）。この表札灯は、玄関口に設置した取付用ポールの上端部に郵便物収納箱を取り付けてなるポール式郵便受に対し、郵便物収納箱の前部に設けた投入口の下方で郵便物収納箱内に照明装置を設け、照明装置下方の郵便物収納箱底部に照明カバーを設け、照明装置の前方の郵便物収納箱の前壁に透光性材質からなる表札部を設けたものである。
【０００４】
これにより、隣家等への悪影響を与えることなくポール式郵便受の周辺の足元を明るくするとともに、表札部を明るくして夜間の表札文字の視認性を向上させている。
【特許文献１】特開平１１−９９０５５号公報（図２）
【発明の開示】
【発明が解決しようとする課題】
【０００５】
しかしながら、前壁に設けられた透光性材質からなる表札部や、照明装置を覆うように設けられた透光性を有する内カバーにより、照明装置（光源部）を包囲しているので、昼間の太陽光の紫外線や温度による耐久性が悪く、照明装置の寿命が非常に短くなるおそれがある。また、夜間においても、照明装置の点灯時に温度上昇を引き起こし、照明装置そのものの温度上昇の要因となり、短寿命を引き起こすことになる。
【０００６】
特に、郵便物収納箱とは独立して光源部を包囲して形成され、建築物の壁に設置される照明器具では、主として建築物の壁側以外の部分で放熱させることになるので、放熱面積が小さく、器具本体内の温度が上昇し光源部の短寿命を引き起こす。
【０００７】
本発明の目的は、光源部を包囲して形成される器具本体内の温度上昇を低減できる照明器具を提供することである。
【課題を解決するための手段】
【０００８】
請求項１の発明に係わる照明器具は、光源部を保持する熱伝導性の固定板と；外面部、この外面部に連接してなる支持部及び前記光源部からの光を出射する開口部を有してなり、前記支持部は前記固定板を支持し、前記外面部は前記光源部及び固定板を包囲するように構成されたアルミダイカスト製の器具本体と；を備えたことを特徴とする。
【０００９】
請求項２の発明に係わる照明器具は、請求項１の発明において、前記器具本体の少なくとも支持部の板厚は、前記固定板の板厚よりも大きいことを特徴とする。
【発明の効果】
【００１０】
本発明によれば、光源部を熱伝導性を有する固定板で保持し、その固定板及び光源部はアルミダイカストで形成された器具本体で包囲され、固定板は器具本体の支持部で支持されるので、光源部からの熱は固定板を通り、さらに器具本体の支持部を通って器具本体の外表面に伝熱し、器具本体の外表面から放熱される。従って、器具本体内の温度上昇を抑制でき、器具本体に収納された光源部の寿命を延ばすことができる。
【発明を実施するための最良の形態】
【００１１】
図１は本発明の実施の形態に係わる照明器具の構成図であり、図１（ａ）は正面図、図１（ｂ）は側面断面図、図１（ｃ）は底面図である。照明器具１１は建築物の壁１２に取り付けられ、建築物の壁１２の下方に設けられた表札１３を照明するものである。照明器具１１の器具本体１４は外面部と、この外面部に連接してなる支持部２１、さらには開口部１９を有する。そして、器具本体１４には、光源部１５ａ、１５ｂが収納され、パッキン１６を介して壁１２に設けられた電線管ボックス１７に取り付けられている。電線管ボックス１７には電源線の端子が設置され、この電源線の端子から光源部１５ａ、１５ｂに点灯用電力が供給される。
【００１２】
光源部１５ａ、１５ｂは複数個のＬＥＤが実装されたＬＥＤモジュールで形成されている。図２は、ＬＥＤモジュールで形成された光源部１５ａ、１５ｂの正面図である。図２では１０個のＬＥＤ２２が横方向に並んで実装されたものを示している。このような２個のＬＥＤモジュールのＬＥＤ２２が表札１３の方向を照明するように、器具本体１４内に並列に２個のＬＥＤモジュールを配置して光源部１５ａ、１５ｂを構成している。２個の光源部１５ａ、１５ｂは熱伝導性の固定板１８で保持され、固定板１８は器具本体１４の支持部２１で支持されている。固定板１８は、例えば、ステンレス合金で形成される。そして、光源部１５ａ、１５ｂからの光は器具本体１４の開口部１９に設けられた下面カバー２０を通して表札１３に向けて照射される。
【００１３】
以上の説明では、２個の光源部１５ａ、１５ｂを器具本体１４内に並列に配置した場合について説明したが、表札１３が横向きである場合には、２個の光源部を直列に配置し横方向に幅広く照射するようにしてもよい。
【００１４】
器具本体１４はアルミダイカストで形成される。アルミダイカストは溶解したアルミを金型に高圧で流し込んで作られるので成形は比較的容易であり、固定板１８を支持する器具本体１４の支持部２１の成形も比較的容易に成形できる。また、アルミダイカストは熱伝導率もよい。そこで、本発明の実施の形態では、アルミダイカストで形成された器具本体１４で、光源部１５ａ、１５ｂ及び固定板１８を包囲して収納し、器具本体１４の表面から放熱するようにする。
【００１５】
すなわち、支持部２１を含む器具本体１４の板厚は、固定板１８の板厚よりも大きく形成する。これにより、固定板１８から器具本体１４の支持部２１への熱勾配が生じるので、固定板１８から器具本体１４の支持部２１への伝熱が円滑に行われる。すなわち、アルミダイカストはステンレス合金より熱伝導率が高く、しかも、アルミダイカストで形成された器具本体１４の板厚をステンレス合金で形成された固定板１８の板厚より大きくしているので、固定板１８から器具本体１４に、より大きな熱勾配が生じる。
【００１６】
従って、光源部１５ａ、１５ｂで発生した熱は固定板１８に伝熱し、固定板１８が取り付けられた器具本体１４の支持部２１に伝熱する。そして、支持部２１から器具本体１４の外表面に伝熱し、器具本体１４の外表面から放熱する。これにより、器具本体１４内部の温度上昇を抑制でき、ひいては光源部１５ａ、１５ｂの長寿命化が図れる。
【００１７】
本発明の実施の形態によれば、器具本体１４はアルミダイカストで形成するので、成型が容易であり熱伝導性もよい。また、光源部１５ａ、１５ｂは熱伝導性を有する固定板１８で保持され、固定板１８は器具本体１４の支持部２１で支持されるので、光源部１５ａ、１５ｂからの熱は固定板１８を通り、さらに器具本体１４の支持部２１を通って熱伝導性のよいアルミダイカストで形成された器具本体１４の外表面に伝熱する。従って、器具本体１４内の熱は効率よく器具本体１４の外表面から放熱される。これにより、器具本体１４内の温度上昇を抑制でき、器具本体１４に収納された光源部１５ａ、１５ｂの寿命も延ばすことができる。
【図面の簡単な説明】
【００１８】
【図１】本発明の実施の形態に係わる照明器具の構成図。
【図２】本発明の実施の形態におけるＬＥＤモジュールで形成された光源部の正面図。
【符号の説明】
【００１９】
１１…照明器具、１２…壁、１３…表札、１４…器具本体、１５…光源部、１６…パッキン、１７…電線管ボックス、１８…固定板、１９…開口部、２０…下面カバー、２１…支持部、２２…ＬＥＤ
【図１】
2008140643.tif 000003
【図２】
2008140643.tif 000004